(57)【要約】【課題】  小型にしてもハウリングが発生し難く、且つ薄型化が容易な構造の居室親機を備えたハンズフリーインターホン装置を提供する。【解決手段】  スピーカ２を、筐体１の全体から見て筐体１前面の下端に近い下側略１０分の１から中央に近い下側略５分の２の位置にかけて配置し、マイク３を、筐体１の全体から見て上端に近い上側略１０分の１から上側略６分の１の位置にかけて配置した。そして、通話ボタン４を、筐体１の略中央に配置し、筐体１の高さの略５分の１の高さ、筐体１の幅の略３分の２の幅を有する横長の長方形状に形成して配置した。また、複数の機能ボタン５ａ〜５ｃは筐体１の全体から見て上端に近い上側２０分の１から中央に近い上側５分の２の位置にかけてそれぞれ配置した。【選択図】  図１
2005303931.tif 000002
【特許請求の範囲】
【請求項１】
玄関に設置された玄関子機から住戸内に設置された居室親機に呼び出しが成され、前記玄関子機と前記居室親機との間で通話を行うハンズフリーインターホン装置であって、
前記居室親機は、前記玄関子機に音声を送出するためのマイクと、前記玄関子機からの呼出音及び音声を報音するスピーカと、通話を開始するための通話ボタンを備え、
前記通話ボタンを前記居室親機の筐体の概ね中心部に配置し、前記スピーカと前記マイクとを前記通話ボタンを中心に前記筐体前面に向かって上下に離して配置したことを特徴とするハンズフリーインターホン装置。
【請求項２】
電気錠の解錠等の付加機能のための機能ボタンを有し、該機能ボタンは前記通話ボタンを挟んで前記スピーカから離れる位置に配置されて成ることを特徴とする請求項１記載のハンズフリーインターホン装置。
【請求項３】
前記通話ボタン及び前記機能ボタン夫々の押圧操作により駆動する複数のスイッチを１枚の回路基板に搭載し、前記通話ボタン及び前記機能ボタンは、前記スイッチを押圧駆動する押圧片を備えてなることを特徴とする請求項２記載のハンズフリーインターホン装置。
【請求項４】
前記スピーカは、その中心を前記居室親機筐体の下側３分の１の位置よりも下に配置し、前記マイクは、その中心を前記居室親機の上側５分の２の位置よりも上に配置し、前記通話ボタンは、前記居室親機筐体の中心を含むよう配置したことを特徴とする請求項１乃至請求項３の何れか１項記載のハンズフリーインターホン装置。
【請求項５】
前記居室親機は、前記玄関子機からの音声を増幅するためのスピーカアンプを備えると共に、前記通話ボタンが押圧操作された時に、前記スピーカアンプを一定時間ミュートさせるミュート回路を備えたことを特徴とする請求項１乃至請求項４の何れか１項記載のハンズフリーインターホン装置。
【請求項６】
前記居室親機は、前記玄関子機からの音声を増幅するためのスピーカアンプを備えると共に、前記通話ボタンが押圧操作された時に、前記スピーカアンプの増幅度をゼロから漸増させる増幅率調整回路を備えたことを特徴とする請求項１乃至請求項４の何れか１項記載のハンズフリーインターホン装置。
【請求項７】
前記居室親機は、ハウリングの発生を防止するエコーキャンセラ回路を備えたことを特徴とする請求項１乃至請求項６の何れか１項記載のハンズフリーインターホン装置。
【請求項８】
前記居室親機は、事前に設定したハウリング周波数のみを減衰させるノッチフィルタを備えたことを特徴とする請求項１乃至請求項７の何れか１項記載のハンズフリーインターホン装置。
【請求項９】
前記居室親機は、送話と受話を自動で切り替えるための通話切替部を備えて自動交互通話動作すると共に、マイク出力信号の周波数ごとのエネルギーを検出する周波数弁別部を備え、
前記マイクに一定以上のレベルの信号が入力されても、前記周波数弁別部で特定周波数にエネルギーの偏りを検出した時は、前記通話切替部が切替操作を実施せず、送受話の想定外の切替を防止することを特徴とする請求項１乃至請求項８の何れか１項記載のハンズフリーインターホン装置。
【請求項１０】
前記周波数弁別部は、事前に設定した特定周波数のエネルギーの偏りのみを検出することを特徴とする請求項９記載のハンズフリーインターホン装置。
【請求項１１】
前記居室親機は、送話と受話を自動で切り替えるための通話切替部を備えて自動交互通話動作すると共に、前記通話切替部の動作を遅延させる遅延回路を備え、
前記マイクに一定以上のレベルの信号が入力されても、前記通話切替部は、前記遅延回路が動作する所定時間後も前記マイクの出力信号が継続して一定以上のレベルの場合に切替動作し、送受話の想定外の切替を防止することを特徴とする請求項１乃至請求項１０の何れか１項記載のハンズフリーインターホン装置。
【請求項１２】
前記居室親機は、前記遅延回路の遅延時間を設定する設定スイッチを備えたことを特徴とする請求項１１記載のハンズフリーインターホン装置。
【発明の詳細な説明】
【技術分野】
【０００１】
本発明は、ハンドセットを使用せずに来訪者との通話が可能なハンズフリーインターホン装置に係り、特に居室親機の小型化が可能なハンズフリーインターホン装置に関する。
【背景技術】
【０００２】
従来より、ハンドセットを使用せずに来訪者と通話ができるハンズフリーインターホン装置が広く利用されている。このハンズフリーインターホン装置に使用される居室親機としては、例えば特許文献１、或いは特許文献２に示すようなレイアウトのものがあり、特許文献１に記載されているハンズフリーインターホン装置の居室親機は、上から来訪者を映し出すモニタ、スピーカ、通話ボタンの順に配置されている。また、特許文献２で開示されている居室親機は、上部に表示部（モニタ）、下部に通話ボタンが配置され、スピーカは筐体底部に下方に向けて設置されている。
【０００３】
【特許文献１】特開２００３−２０９６２６号公報
【特許文献２】特開２００１−１６３３９号公報
【発明の開示】
【発明が解決しようとする課題】
【０００４】
しかしながら、ハンズフリーインターホン装置の居室親機の小型化を行なう場合、上記特許文献１に示す居室親機は、筐体下部に呼出ボタンを備えていることからマイク及びスピーカの何れも筐体の上方から中央部にかけて設置せざるを得ず、マイクとスピーカの距離が自ずと短くなり、ハウリングが発生し易かった。また、コストダウンを図るために通話ボタンの操作により動作するスイッチは他の素子が組み付けられた回路基板に実装されるが、通話ボタンはスピーカより下方にあるため、スピーカの厚みにより回路基板を筐体前面に近づけることができず、筐体背面に近い位置の配置となっていた。そのため、通話ボタンとスイッチの間に大きな空間が発生し、実装するためには伝達部材が必須となり、コストダウンの阻害要因となっていた。
更に、通話ボタンの大きさやレイアウトの都合上、例えば解錠ボタン等の付加機能を有する場合、操作ボタンはスピーカより上方に配置される。そのため、回路基板は通話ボタンから機能ボタンに亘る大きさが必要となり、筐体のほぼ全体に亘る大きさのものが実装され、大きな基板となりコストダウンの阻害要因となっていた。
【０００５】
一方、特許文献２に開示された居室親機は、通話ボタンと付加機能の操作ボタン類を近接させて配置することができるため、回路基板の小型化を図ることができるが、スピーカは下方を向いているため、居室親機の厚みを薄くすることができないし、音質の低下は避けられない。
【０００６】
そこで、本発明はこのような問題点に鑑み、通話ボタンやスピーカ等のレイアウトを工夫して、小型にしてもハウリングが発生し難く、且つ薄型化が容易な構造のハンズフリーインターホン装置を提供することを目的とする。更に、小型化することで居住者の応答操作によりハウリングが発生し易い状況となっても、ハウリングを抑えることが可能なハンズフリーインターホン装置を提供することを目的とする。
【課題を解決するための手段】
【０００７】
上記課題を解決する為に、請求項１に記載の発明は、玄関に設置された玄関子機から住戸内に設置された居室親機に呼び出しが成され、玄関子機と居室親機との間で通話を行うハンズフリーインターホン装置であって、居室親機は、玄関子機に音声を送出するためのマイクと、玄関子機からの呼出音及び音声を報音するスピーカと、通話を開始するための通話ボタンを備え、通話ボタンを居室親機の筐体の概ね中心部に配置し、スピーカとマイクとを通話ボタンを中心に筐体前面に向かって上下に離して配置したことを特徴とする。
この構成により、通話ボタンを介してスピーカとマイクのうち一方を筐体の下部に、他方を筐体の上部に配置するので、筐体内での双方の距離を確保することができるのでハウリング防止に効果を奏し、居室親機の小型化が容易となる。また、何れも筐体前面に配置するので、筐体を薄くできる。
【０００８】
請求項２の発明は、請求項１の発明において、電気錠の解錠等の付加機能のための機能ボタンを有し、該機能ボタンは通話ボタンを挟んでスピーカから離れる位置に配置されて成ることを特徴とする。
この構成により、スピーカが機能ボタン及び通話ボタンの近傍に無いので、回路基板を居室親機の筐体前面付近に配置することができ、筐体を更に薄型とすることができる。
【０００９】
請求項３の発明は、請求項２の発明において、通話ボタン及び前記機能ボタン夫々の押圧操作により駆動する複数のスイッチを１枚の回路基板に搭載し、前記通話ボタン及び前記機能ボタンは、前記スイッチを押圧駆動する押圧片を備えてなることを特徴とする。
この構成により、回路基板にスイッチを搭載しても、別途伝達部材を用いることなくボタンに押圧片を設けるだけで通話ボタン或いは機能ボタンとスイッチとを結合でき、部品コストを低減できる。また、通話ボタンと機能ボタンを近接して配置すれば、回路基板を小さくでき、部品コストを更に低減することができる。
【００１０】
請求項４の発明は、請求項１乃至請求項３の何れかの発明において、スピーカは、その中心を居室親機筐体の下側３分の１の位置よりも下に配置し、マイクは、その中心を居室親機の上側５分の２の位置よりも上に配置し、通話ボタンは、居室親機筐体の中心を含むよう配置したことを特徴とする。
この構成により、スピーカとマイクとを確実に隔離でき、ハウリング防止に効果的であるし、居室親機のデザインバランスも好ましい。
【００１１】
請求項５の発明は、請求項１乃至請求項４の何れかの発明において、居室親機は、玄関子機からの音声を増幅するためのスピーカアンプを備えると共に、通話ボタンが押圧操作された時に、スピーカアンプを一定時間ミュートさせるミュート回路を備えたことを特徴とする。
この構成により、通話ボタンが押圧されてから、スピーカアンプを一定時間ミュートさせるので、呼び出しに応答するための通話ボタン操作時に、スピーカ前面、あるいはマイク前面を手で覆っても、手を離すまでの間スピーカアンプがオフか小さい出力にでき、中央に通話ボタンを配置してもハウリングが発生することない。
【００１２】
請求項６の発明は、請求項１乃至請求項４何のれかの発明において、居室親機は、玄関子機からの音声を増幅するためのスピーカアンプを備えると共に、通話ボタンが押圧操作された時に、スピーカアンプの増幅度をゼロから漸増させる増幅率調整回路を備えたことを特徴とする。
この構成により、通話ボタンが押圧されてから、スピーカアンプはゆっくりと立ちあがるので、呼び出しに応答するための通話ボタン操作時に、スピーカ前面、あるいはマイク前面から手を離すまでの間、ハウリングの発生を防止することができる。
【００１３】
請求項７の発明は、請求項１乃至請求項６の何れかの発明において、居室親機は、ハウリングの発生を防止するエコーキャンセラ回路を備えたことを特徴とする。
この構成により、通話ボタンあるいは機能ボタンの操作時に、スピーカ前面、あるいはマイク前面を手で覆っても、エコーキャンセラ回路がエコーを除去するので、ハウリングの発生を防止することができる。
【００１４】
請求項８の発明は、請求項１乃至請求項７の何れかの発明において、居室親機は、事前に設定したハウリング周波数のみを減衰させるノッチフィルタを備えたことを特徴とする。
この構成により、通話ボタンあるいは機能ボタン操作時に、スピーカ前面、あるいはマイク前面を手で覆っても、ノッチフィルタがハウリング周波数のみを減衰させるので、ハウリング信号は減衰し、ハウリングの発生を防止することができる。
【００１５】
請求項９の発明は、請求項１乃至請求項８の何れかの発明において、居室親機は、送話と受話を自動で切り替えるための通話切替部を備えて自動交互通話動作すると共に、マイク出力信号の周波数ごとのエネルギーを検出する周波数弁別部を備え、マイクに一定以上のレベルの信号が入力されても、周波数弁別部で特定周波数にエネルギーの偏りを検出した時は、通話切替部が切替操作を実施せず、送受話の想定外の切替を防止することを特徴とする。
この構成により、居室親機に自動交互通話機能を設けても、周波数弁別部によりハウリングと居住者の音声を判断するので、ハウリングにより自動交互通話機能が動作して送話側と受話側が切り替わってしまうことがなく、通話切替部の不要な切り替え動作を防ぐことができる。
ここで、自動交互通話とは、玄関子機と居室親機が通話中に、音声信号の大きい側のアンプの増幅度を上げ、音声信号の小さい側のアンプの増幅度を小さく、あるいは０にし、音声信号の大小でアンプの増幅度を切り替えることにより、ハウリングを防止しつつ自然な会話を実現する公知の技術である。
【００１６】
請求項１０の発明は、請求項９の発明において、周波数弁別部は、事前に設定した特定周波数のエネルギーの偏りのみを検出することを特徴とする。
この構成により、周波数弁別部を低価格で構成することができる。
【００１７】
請求項１１の発明は、請求項１乃至請求項１０の何れかの発明において、居室親機は、送話と受話を自動で切り替えるための通話切替部を備えて自動交互通話動作すると共に、通話切替部の動作を遅延させる遅延回路を備え、マイクに一定以上のレベルの信号が入力されても、通話切替部は、遅延回路が動作する所定時間後も前記マイクの出力信号が継続して一定以上のレベルの場合に切替動作し、送受話の想定外の切替を防止することを特徴とする。
この構成により、ボタン操作時に発生するような短時間のハウリングでは、遅延回路の遅延動作により自動交互通話が切り替わることが無く、通話切替部の不要な切り替え動作を防ぐことができる。
【００１８】
請求項１２の発明は、請求項１１の発明において、居室親機は、遅延回路の遅延時間を設定する設定スイッチを備えたことを特徴とする。
この構成により、設定スイッチによって遅延時間を設定できるので、ユーザーの嗜好に応じて遅延時間を設定することができる。
【発明の効果】
【００１９】
本発明のハンズフリーインターホン装置によれば、通話ボタンを機器中央に配置して、マイクとスピーカとを通話ボタンを介して配置することにより、マイクとスピーカとの距離を無理なく確保でき、ハウリングの防止に効果を奏する。また、機能ボタンも通話ボタンの近傍に配置することで、ボタン操作により動作するスイッチを組み付けた回路基板を小型化することができるし、スピーカが機能ボタン及び通話ボタンの近傍に無いので、基板を居室親機の筐体前面付近に配置することができ、筐体を薄くできる。
【００２０】
さらに、居住者が、来訪者に応答するために通話ボタンに手をのばすことで、ハウリングが発生し易くなっても、ミュート回路、スピーカアンプの増幅度を漸増させる増幅率調整回路、エコーキャンセラ回路、ノッチフィルタ等を組み込むことで、ボタン操作時にハウリングが発生することを防止でき、中央に通話ボタンを配置してもハウリングの発生を防止できる。
また、自動交互通話機能を備えた場合、周波数弁別部と、通話切替部とを備えることで、ハウリングによって自動交互通話が勝手に切り替わることを防止できるし、通話切替部の動作タイミングを遅延させる遅延回路を備えることで、ボタン操作時のハウリング発生によって自動交互通話が切り替わることを防止できる。
【発明を実施するための最良の形態】
【００２１】
以下、本発明を具体化した実施の形態を、図面に基づいて詳細に説明する。
図１は、本発明に係るハンズフリーインターホン装置の実施形態の一例を示し、発明の要部である居室親機の正面図を示している。図１において、１は居室親機筐体（以下、単に筐体とする。）、２は図示しない玄関子機からの呼び出し、即ち来訪者からの呼び出しを報知する呼出音を報音するとともに、居住者が来訪者との間で通話を成立させるための来訪者の音声を出力するスピーカ、３は居住者が来訪者との間で通話を成立させるための音声を送信するためのマイク、４は居住者が来訪者からの呼び出しに応答するために操作する通話ボタン、５（５ａ〜５ｃ）は付加機能を動作させるための機能ボタンで、５ａは室内通話する為の室内通話ボタン、５ｂは玄関ドアの解錠操作をする解錠ボタン、５ｃは２世帯住宅等に於いて他の世帯の居室親機と通話するための他世帯呼出ボタンである。
【００２２】
図１に示す居室親機の各部材のレイアウトを具体的に説明すると、スピーカ２は、筐体１の全体から見て筐体１前面の下端に近い下側略１０分の１から中央に近い下側略５分の２の位置にかけて配置されており、スピーカ２の中心点は概ね筐体１の下側略４分の１の位置にある。マイク３は、筐体１の全体から見て上端に近い上側略１０分の１から上側略６分の１の位置にかけて配置されており、マイク３の中心点は概ね筐体１の上側略８分の１の位置にある。
また、通話ボタン４は、筐体１の略中央に配置され、筐体１の高さの略５分の１の高さ、筐体１の幅の略３分の２の幅を有して横長の長方形状に形成されて配置されている。この通話ボタンの中心点は筐体の中心点と概ね一致している。また、複数の機能ボタン５ａ〜５ｃは筐体１の全体から見て上端に近い上側２０分の１から中央に近い上側５分の２の位置にかけてそれぞれ配置されている。
尚、この実施形態では、スピーカ２の中心を筐体１の下側４分の１の位置、マイク３の中心を筐体１の上側８分の１の位置としているが、スピーカ２の中心が筐体１の下側３分の１よりも下であって、且つマイク３の中心が筐体１の上側５分の２より上であれば、通話ボタン４を介してスピーカ２とマイク３を距離を置いて配置でき、ハウリング防止に効果を奏するし、居室親機のデザインバランスの点でも好ましい。
【００２３】
図２は、図１の居室親機の側面説明図であり、図２（ａ）はボタン操作をしていない状態、（ｂ）は通話ボタン４を操作している状態を示している。また、内部のスイッチや回路基板の状態を破線で示し、１０は操作する居住者の手を示している。図２（ａ）において、７は回路基板であり、回路基板７上に各ボタン４，５に対応した複数のスイッチ８，８・・が実装されている。また、通話ボタン４、機能ボタン５ａ〜５ｃの裏面には、それぞれスイッチ８を操作するための全長約２ｍｍの押圧片９が設けられ、筐体１の厚みＴは略２５ｍｍとなっている。そして、図２（ｂ）に示すように居住者がボタン（ここでは通話ボタン４）を押圧することによって、ボタンの押圧動作がスイッチ８に伝達され、居室親機がボタン操作に応じた動作を行なう。
【００２４】
このように、通話ボタンを中央に配して、スピーカを筐体の下部に、マイクを筐体の上部に配置するので、筐体内での双方の距離を確保することができ、ハウリング防止に効果を奏し、居室親機の小型化が容易となる。また、スピーカが機能ボタン及び通話ボタンの近傍に無いので、回路基板を居室親機の筐体表面付近に配置することができ、筐体を薄型とすることができるし、機能ボタンと通話ボタンを近接配置すれば、回路基板にスイッチを搭載しても回路基板を小さくでき、部品コストを低減できる。
更に、別途伝達部材を用いることなく押圧片を設けるだけでスイッチをボタン操作でき、部品コストを低減でき安価に構成できる。
尚、本実施例では、スピーカ２が筐体下側、マイク３が筐体上側に配置されているが、スピーカ２とマイク３の位置を反転させたとしても同様の効果を有することはいうまでもない。
【００２５】
図３は、図１の居室親機の回路ブロック図を示し、１１は伝送線路Ｌ１で玄関子機に接続されるインターフェース（以下、Ｉ／Ｆと略す）、１２はマイク３の音声信号を増幅するマイクアンプ、１３は玄関子機からの音声信号を増幅するスピーカアンプ、１４はミュート回路、１５は親機ＣＰＵである。なお、図１と同一の構成要素には同一の符号を付与してあり、機能ボタン５ａ〜５ｃは１個の機能ボタン５として略してある。
この回路は次のように動作する。玄関子機からＩ／Ｆ１１を経由して呼び出し信号を受け取った親機ＣＰＵ１５は、スピーカ２から呼出音を鳴動し、玄関子機から呼び出しがあったことを居住者に通知する。その通知を受けて居住者が居室親機の通話ボタン４を押圧すると、親機ＣＰＵ１５は玄関子機との通話路を形成し、スピーカアンプ１３と、ミュート回路１４と、マイクアンプ１２とを能動とする。
能動となったミュート回路１４は、通話ボタン４が押されてから所定時間の間、スピーカ２からの出力を低減する動作をし、ミュート回路１４が能動となることにより、通話ボタン４を押してから手がスピーカ２を覆わなくなるまでの一定時間、スピーカ２から出る音を低減する。そして、一定時間経過後、ミュート回路１４の動作は停止し、その後スピーカ２は通常の音量で玄関子機からの音声を出力する。
【００２６】
こうして、居住者が通話ボタン４を押した瞬間は、図２（ｂ）に示すようにスピーカ２の前面を手が覆い、スピーカ２から報音された音声がマイク３に回り込みやすく、ハウリングの可能性が高くなるが、手が居室親機前面にかざされている一定時間の間、スピーカから出力されないか出力されても小さい音なのでハウリングが発生することがない。
【００２７】
図４は、上記図１の居室親機の他の回路構成を示している。上記図３とはミュート回路１４に代えて、スピーカアンプ１３の増幅率を漸増させる（０から徐々に上げていく）増幅率調整回路１７を備えている点が異なっている。尚、図３と同一の構成要素には同一の符号を付与してある。
この回路は次のように動作する。玄関子機からＩ／Ｆ１１を経由して呼出信号を受け取った親機ＣＰＵ１５は、スピーカ２から呼出音を鳴動させ、玄関子機から呼び出しがあったことを居住者に通知する。通知を受けて居住者が居室親機の通話ボタン４を押圧すると、親機ＣＰＵ１５は玄関子機との通話路を形成し、スピーカアンプ１３と、増幅率調整回路１７と、マイクアンプ１２とを能動とする。増幅率調整回路１７は、所定時間をかけて音量をゼロから徐々に一定値になるまで上げて行く回路であり、能動となることで通話ボタン４を押した手がスピーカ２を覆わなくなるまでの間に、スピーカアンプ１３の増幅度を０から徐々に上げていく。そして、一定時間経過後に、増幅率調整回路１７はスピーカアンプ１３の増幅度を定常値として動作を終了し、スピーカ２は通常の音量で玄関子機からの音声を出力する。
こうして、通話ボタンが押圧されてから、スピーカから出る音はゼロから徐々に大きくなるので、手がスピーカを覆っている間、スピーカ音は小さくハウリングを防止することができる。
【００２８】
図５は、上記図１の居室親機の更に他の回路構成を示している。上記図３とはミュート回路１４に代えて、スピーカアンプ１３から出力されマイクアンプ１２へ回り込んだ音声をキャンセルするエコーキャンセラ回路１８を備えている点が異なっている。尚、図３と同一の構成要素には同一の符号を付与してある。
この回路は次のように動作する。玄関子機からＩ／Ｆ１１を経由して呼出信号を受け取った親機ＣＰＵ１５は、スピーカ２から呼出音を鳴動させ、玄関子機から呼び出しがあったことを居住者に通知する。居住者が居室親機の通話ボタン４を押圧すると、親機ＣＰＵ１５は玄関子機との通話路を形成し、スピーカアンプ１３と、マイクアンプ１２と、エコーキャンセラ回路１８とを能動とする。
【００２９】
これにより、スピーカ２の前面が手で覆われることで、スピーカ２から出力された音声がマイク３に回り込んでマイクアンプ１２で増幅されたとしても、エコーキャンセラ回路１８が回り込んだ音声をキャンセルする。また、エコーキャンセラ回路１８は、居室親機動作中は能動状態にあるので、他の機能ボタンを操作する場合であっても、同様の作用を奏し、回り込んだ音声をキャンセルする。
このように、居室親機に手をかざしてもエコーキャンセラ回路がエコーを除去するので、ハウリングの発生を防止できる。
【００３０】
図６は、上記図１の居室親機の更に他の回路構成を示している。上記図３とはミュート回路１４に代えて、マイクアンプ１２から出力された信号のうち、事前に設定したハウリング周波数のみを減衰させるノッチフィルタ１９を備えている点が異なっている。尚、図３と同一の構成要素には同一の符号を付与してある。
この回路は次のように動作する。玄関子機からＩ／Ｆ１１を経由して呼出信号を受け取った親機ＣＰＵ１５は、スピーカ２から呼出音を鳴動させ、玄関子機から呼び出しがあったことを居住者に通知する。居住者が居室親機の通話ボタン４を押圧すると、親機ＣＰＵ１５は玄関子機との通話路を形成し、スピーカアンプ１３と、マイクアンプ１２と、ノッチフィルタ１９とを能動とする。
【００３１】
ハウリングの発生する周波数は筐体の形状によって概ね決まっているため、機器の開発段階でハウリングの発生周波数を事前に特定することができる。そのため、特定の周波数の信号のみ減衰させるノッチフィルタ１９は、ハウリング周波数のみ減衰させるよう予め設定でき、居室親機に組み込んでおくことができる。そのため、現場でノッチフィルタ１９の周波数を調整するようなことなくハウリング周波数のみ減衰させることが可能となる。
そのため、ノッチフィルタ１９を動作させることで、スピーカ２の前面が手で覆われることで、スピーカ２から出力された音声がマイク３に回り込んでマイクアンプ１２で増幅されたとしても、ノッチフィルタ１９が回り込んだ音声のうち特定の周波数の音声のみを減衰させる。
このように、居室親機に手をかざしても、ノッチフィルタがハウリング周波数のみを減衰させるので、ハウリング信号は減衰し、ハウリングの発生を防止することができる。
【００３２】
図７は、上記図１の居室親機の更に他の回路構成を示している。上記図３とはミュート回路１４に代えて、送話と受話を自動で切り替える通話切替部２１を備えて居室親機に自動交互通話機能を持たせると共に、特定周波数のエネルギーを検出する周波数弁別部２０を設けた点が異なっている。尚、図３と同一の構成要素には同一の符号を付与してある。
【００３３】
この回路は次のように動作する。玄関子機からＩ／Ｆ１１を経由して呼出信号を受け取った親機ＣＰＵ１５は、スピーカ２から呼出音を鳴動させ、玄関子機から呼び出しがあったことを居住者に通知する。居住者が居室親機の通話ボタン４を押圧すると、親機ＣＰＵ１５は玄関子機との通話路を形成し、スピーカアンプ１３と、マイクアンプ１２と、通話切替部２１と、周波数弁別部２０とを能動とする。
【００３４】
この図７の実施形態では、居室親機が自動交互通話機能を備えるため、応答する際に通話ボタン４を操作しなくても良いが、通話中の居住者が自動交互通話から強制通話に切り替えようとした場合、通話ボタン４を操作する。或いは電気錠等の付加機能を動作させる場合、機能ボタン５を操作する。その場合、スピーカ２の前面が手で覆われる状態となり、スピーカ２から出力された音声がマイク３に回り込み、マイクアンプ１２が回り込んだ音声信号を増幅させ、特定の周波数のエネルギーが大きくなりハウリングを発生することがあるが、通話切替部２１、周波数弁別部２０が次のように動作し、ハウリングによる通話切替部２１の不要な動作を阻止している。
マイクアンプ１２からの信号を受信する周波数弁別部２０は、この変化、即ち特定の周波数のエネルギーだけが大きくなった変化を検出して、通話切替部２１に伝達する。通話切替部２１は、周波数弁別部２０から特定周波数にエネルギーの偏りがあることを知らされることで、大きくなった信号が居住者の音声と判断ぜず、送話と受話の切り替えを行わない。
【００３５】
このように、居室親機に自動交互通話機能を設けても、周波数弁別部によりハウリングと居住者の音声を判断するので、ハウリングにより自動交互通話機能が動作して送話側と受話側が切り替わってしまうことがなく、通話切替部の不要な切り替え動作を防ぐことができる。
尚、上記図６の実施形態と同様、ハウリング周波数は事前に特定することができるため、周波数弁別部２０は特定の周波数のみのエネルギーを検出するように構成されており、こうすることで周波数弁別部２０は簡易な回路構成にできる。しかし、事前に特定するハウリング周波数は１つとは限らないため、複数の周波数を弁別する構成するとより効果的である。
【００３６】
図８は、上記図１の居室親機の更に他の回路構成を示している。上記図３とはミュート回路１４に代えて上記図７の構成と同様に、通話切替部２１を備えて自動交互通話機能を備えている。そして、通話切替部２１の動作を０．１〜１秒遅延させる遅延回路２３と、その遅延回路２３の遅延時間を手動で設定する設定スイッチ２４とを備えている。尚、図３と同一の構成要素には同一の符号を付与してある。
【００３７】
この回路は次のように動作する。玄関子機からＩ／Ｆ１１を経由して呼出信号を受け取った親機ＣＰＵ１５は、スピーカ２から呼出音を鳴動させ、玄関子機から呼び出しがあったことを居住者に通知する。通知を受けて居住者が居室親機の通話ボタン４を押圧すると、親機ＣＰＵ１５は玄関子機との通話路を形成し、スピーカアンプ１３と、マイクアンプ１２と、通話切替部２１とを能動とする。
【００３８】
この図８の実施形態は、上記図７と同様に、居室親機が自動交互通話機能を備えるため、応答する際に通話ボタン４を操作しなくても良いが、通話中の居住者が自動交互通話から強制通話に切り替えようとした場合、通話ボタン４を操作する。或いは電気錠等の付加機能を動作させる場合、機能ボタン５を操作する。その場合、スピーカ２の前面が手で覆われる状態となり、スピーカ２から出力された音声がマイク３に回り込み、マイクアンプ１２が回り込んだ音声信号を増幅させ、回り込みによりハウリングが発生する場合があるが、通話切替部２１、遅延回路２３は次のように動作して、通話切替部２１の不要な切り替えを阻止している。
ハウリング或いは音声信号が発生したら、通話切替部２１で検出し、ハウリング或いは音声信号を検出した通話切替部２１は、遅延回路２３を動作させる。遅延回路２３の動作により、設定された一定の遅延時間を待ち、通話切替部２１は再度ハウリング検知操作をする。この時、再度通話切替部２１が信号を検出していたら、通話切替部２１はその信号が音声信号であると認識し、自動交互通話の送話側と受話側を切り替える。逆に、遅延時間終了時点でハウリングを検出しなくなったら、通話切替部２１は切替動作を行なわない。
【００３９】
これにより、ボタン操作時に発生するような短時間のハウリングでは、遅延回路の遅延動作により自動交互通話が切り替わることが無く、通話切替部の不要な切り替え動作を防ぐことができる。また、ボタンの押し方には個人差があるため、遅延時間が長すぎると、スムーズな切り替えが実施されず通話がぎくしゃくすることもあるが、これを防止するため、居住者が設定スイッチを操作して、遅延時間を変更することにより、自動交互通話の送話側と受話側を違和感なく切り替えることができる。
【００４０】
尚、ミュート回路１４、増幅率調整回路１７、エコーキャンセラ回路１８、ノッチフィルタ１９、更には周波数弁別部２０、遅延回路等を夫々個別に設けてハウリング対策をを実施しているが、これらを組み合わせても良い。特に図７、図８に示す自動交互通話機能にミュート回路１４、増幅率調整回路１７等を併せて設けることで、安定した通話切り替えを実施できるし、ハウリングの発生も良好に抑えることができる。
また、上記実施形態は、スピーカ２が通話ボタン４の下に配置されているため、スピーカ２が手で覆われる場合の対策を述べたが、マイク３が通話ボタン４の下に配置されたスピーカ２とマイク３の位置を反転させた構成の場合は、通話ボタン４操作の際、マイク３が手で覆われることになる。この場合も、ハウリングが発生し易くなるが、上記回路によりハウリングの発生を抑え、自動交互通話機能を備えたものにあっては、誤動作を防ぐことができる。
【図面の簡単な説明】
【００４１】
【図１】本発明に係るハンズフリーインターホン装置の第１の実施形態を示し、発明の要部である居室親機の正面図である。
【図２】図１の居室親機の右断面説明図であり、（ａ）はボタンを押していない状態、（ｂ）がボタンを押した状態で手の位置を含んでいる。
【図３】図１の居室親機の回路ブロック図である。
【図４】図１の居室親機の他の回路構成を示す回路ブロック図である。
【図５】図１の居室親機の更に他の回路構成を示す回路ブロック図である。
【図６】図１の居室親機の更に他の回路構成を示す回路ブロック図である。
【図７】図１の居室親機の更に他の回路構成を示す回路ブロック図である。
【図８】図１の居室親機の更に他の回路構成を示す回路ブロック図である。
【符号の説明】
【００４２】
１・・居室親機筐体、２・・スピーカ、３・・マイク、４・・通話ボタン、５・・機能ボタン、７・・回路基板、８・・スイッチ、９・・押圧片、１２・・マイクアンプ、１３・・スピーカアンプ、１４・・ミュート回路、１５・・親機ＣＰＵ、１７・・増幅率調整回路、１８・・エコーキャンセラ回路、１９・・ノッチフィルタ回路、２０・・周波数弁別部、２１・・通話切替部、２３・・遅延回路、２４・・設定スイッチ。
【図１】
2005303931.tif 000003
【図２】
2005303931.tif 000004
【図３】
2005303931.tif 000005
【図４】
2005303931.tif 000006
【図５】
2005303931.tif 000007
【図６】
2005303931.tif 000008
【図７】
2005303931.tif 000009
【図８】
2005303931.tif 000010